(57)【特許請求の範囲】
【請求項１】
円を囲む少なくとも３本の支柱を主な骨組みとし、自然又は人工の小川を跨いで直立のタワーを組み立て、タワーの上に風力発電の風車を搭載し、タワーの上部の周囲には太陽光発電のソーラーパネルを張設し、さらに、タワーの下端に水力発電の発電機を設置し、この発電機の水車を回転させる水の供給については、該水車が前記小川の水を受けるように設置され、且つ、雨水を貯める幾つもの球形タンクをタワーに積重ね状に内蔵し、複数の球形タンクに通じる水車への給水管を設けたことを特徴とする自然エネルギー発電装置の製造方法。
【請求項２】
風力発電の風車が縦型であって、その回転軸で下端の前記発電機を回転しうるように伝達軸をそれに接続し、発電機を水力発電と共用するように構成したことを特徴とする請求項１記載の自然エネルギー発電装置の製造方法。
【発明の詳細な説明】
【技術分野】
【０００１】
この発明は、太陽光や風力、水力などの自然エネルギーを総合的に利用できるようにした自然エネルギー発電装置の製造方法に関する。
【背景技術】
【０００２】
石炭や石油などの化石燃料はやがて枯渇する有限であるため、無限に存在する太陽光や風力、水力などの自然エネルギーの利用が注目され、特に福島原子力発電事故を契機としてその重要性が認識されている。しかし、常に変化する自然が相手となるため安定して利用できない難点があり、これが利用の進展を妨げている。
【０００３】
従来、太陽光については、ソーラーパネルが開発され、その技術の進歩はめざましく、企業としての大規模な発電ばかりか家庭の屋根に設置する小規模のものまで広く利用されているが、夜間や雨天での発電ができないし、設置に場所を取るという制約がある。また、風力については天候に左右され、水力については、河川の存在が必要であり、気候的に、場所的にというように自然環境の制約を受ける。
【発明の概要】
【発明が解決しようとする課題】
【０００４】
自然エネルギーは、無限に存在するだけでなく、原則として、誰にも無償に開放されている非独占的な自由エネルギーであるから、小さな団体や家庭でも利用可能であるが、自前の電気を得るには住居周辺の環境ではその量が気づかない程度に少ないという現実にあり、そのため小さいエネルギーを見つけてこれを如何に利用するか、この問題を解決する必要があった。
【０００５】
この発明は、上記のような観点から、身近にあるものとして太陽光と、風力と、水力とを選定したもので、それらを利用する発電装置がコンパクトに合理的に装備され、各装置間が相互に補完するために、自然状況の変化に伴う制約から解放され、家庭や企業などの自家発電を安定して構築し利用できる自然エネルギー発電装置の製造方法を提供することを課題とした。
【課題を解決するための手段】
【０００６】
上記の課題を解決するために、この発明は、円を囲む少なくとも３本の支柱を主な骨組みとし、自然又は人工の小川を跨いで直立のタワーを組み立て、タワーの上に風力発電の風車を搭載し、タワーの上部の周囲には太陽光発電のソーラーパネルを張設し、さらに、タワーの下端に水力発電の発電機を設置し、この発電機の水車を回転させる水の供給については、該水車が前記小川の水を受けるように設置され、且つ、雨水を貯める幾つもの球形タンクをタワーに積重ね状に内蔵し、複数の球形タンクに通じる水車への給水管を設けたことを特徴とする自然エネルギー発電装置の製造方法を提供する。
【０００７】
自然エネルギー発電装置の製造方法を上記のように構成したから、タワーで高い位置で風車が風を受けやすく、また、ソーラーパネルが太陽光を受けやすい。また、水力発電に雨水が耐圧に優れた球形タンクに貯留され、それがタワーに垂直に設けられるため場所をとらない。
【発明の効果】
【０００８】
以上説明したように、この発明によれば、身近にあるものとして太陽光と、風力と、水力とを共に選定し、総合的に電力を得ることができ、一般住宅や工場のある場所の片隅にも設置が可能であって、場所を取らないようにタワーにコンパクトに合理的に装備され、各装置間が相互に補完し合って安定して電力を生むので、自然エネルギーの小規模な利用が可能であって、家庭や企業において自前の電力を得るのに貢献し得るという優れた効果がある。
【図面の簡単な説明】
【０００９】
【図１】この発明による自然エネルギー発電装置を示す正面図である。
【図２】この発明による自然エネルギー発電装置を示す側面図である。
【図３】図２のA−A線矢視の断面図である。
【図４】B−B線矢視の断面図である。
【図５】C−C線矢視の断面図である。
【図６】風車が回転する仕組みを示す説明図である。
【発明を実施するための形態】
【００１０】
この発明は、直立したタワー１に、風力発電装置と、太陽光発電装置と、水力発電装置とを場所を取らないように装備したものである。なお、タワー１やその上端の通風塔１３は、金属又はプラスチック等の形材を使用して築造できる。
【００１１】
風力発電装置を構成する風車１７は、その構造を特に限定するものではないが、縦型であると、回転軸１９の動力を下端の発電機３５に導入しやすのでそれを水力発電装置と共有しやすい。ただし、風力発電装置について発電機を上端に専用に設けてもよい。また、風車１７を支持できる構造であれば通風塔１３は必ずしも要しない。
【００１２】
余剰の電力は売電され、また、利用者が近所に多数あるときは分電されるが、いずれにしても交流に統一して送電される。また、直流において蓄電されるが、これらの変換などの電気的設備として電気制御盤１４を上端に都合よく設置できる。
【００１３】
水車３４は、スクリュー型、ドラム型などその形式は問わない。また、揚水ポンプを設けておき、余裕のあるときに、小川４１などの水を球形タンク３７，３７、・・に揚水して貯蔵しておくこともできる。また、砂漠などの乾燥地帯では、当初にタンク内を満水にしておけば、以降は、ポンプ等を利用して当初の水を繰返し利用して水力発電を行うことができる。
【実施例１】
【００１４】
図面は一実施例を示したもので、その自然エネルギー発電装置の製造方法は、タワー１に、風力発電装置と太陽光発電装置と水力発電装置とが装備される。
【００１５】
タワー１は、鉄骨で組んで築造され、場所を取らないように高い垂直のやぐら型であって、正三角の配置の３本の支柱９，９，９を横フレーム１１，１１、・・で連結された骨組みとなっている。このタワー１の上端には台盤１２を設置し、その上に風車１７を装備する通風塔１３及び電気制御盤１４が搭載される。
【００１６】
通風塔１３は、３本の縦フレーム１５，１５，１５を正三角形の３点位置に配置し、上端を中心に折り曲げて通風可能に組み合わせたもので、この通風塔１３の中には縦型の風車１７が納まるように、中心に風車１７の回転軸１９が軸支され、回転軸１９の下端にそれにより駆動されるよう発電機３５への伝達軸２１が設けてある。
【００１７】
風車１７は、回転軸１９を中心に羽根２３，２３、・・を配列したもので、各羽根２３が水平板からなる上下一対の支持部材２４、２４により回転軸１９に一体化され、回転軸１９と各支持部材２４、２４との間には、斜めにワイヤーの吊子２５，２５が上下対称に介在され、このように風の抵抗が少ない構造で回転軸１９に対して羽根２３の支持が強化される。
【００１８】
各羽根２３は、上下長の板状であって回転方向の端に膨大した先頭体３０が設けられ、先頭体３０が半円形に形成され前面が風の抵抗の少ない曲面になっている。その配置については、先端部が中心からやや離れる傾斜であって（図６）、風下に向かう進行位置（イ）では、その先端に先頭体３０が次のように風を受けるようになっている。
【００１９】
すなわち、羽根２３は、膨大した先頭体３０の裏面との間が風圧を受ける段差の風力受３１、３１となっている。そこで、基本的には、風圧が板状の外面に沿って流れ（矢印Pａ）、風力受３１が押されることによって風を強く受ける結果、先頭体３０の向く回転方向に風車１７が回転する。また、回転方向が向い風となる復帰位置（ロ）では、先頭体３０の丸い曲面で風を逃し、板状部分でも風が逃げるため（矢印Ｐb）、風上に向かう抵抗が少ない。
【００２０】
次に、太陽光発電装置は、タワー１の上端部に、ソーラーパネル３３を張ったもので、効率を重視して、三本の支柱９，９，９を通る円の位置に沿って丸く張るとともに、北側面Ｎが除かれる。また、ソーラーパネル３３を張らないタワー１外面においては、つる草を沿わせることによりグリーンカーテン３４が造成され（図１）、これで加熱を防止することによりソーラーパネル３３の性能が安定して維持される。
【００２１】
水力発電装置は、水に位置エネルギーを付与する高位貯水のための球形タンク３７，３７、・・と、発電機３５を回転する水車３４などからなるもので、川の水や降雨，降雪が利用できるようになっている。なお、発電機３５は前記のごとく風力発電装置と共用される。
【００２２】
タワー１は、正三角形の３点に位置する支柱９，９，９とその間に渡される横フレーム１１，１１、・・との組合せからなるもので、筋交いが欠如しているが、３本の支柱９，９，９の中に納まるように、球形タンク３７，３７、・・が下から順に積み込まれ、それぞれ接点部分で支柱９，９，９に結合される。したがって、球形タンク３７，３７、・・を介して支柱９，９，９どうしが連結されるため、筋交いがなくても骨組みが強化される。また、球形タンク３７の直径Dは、横フレーム１１で連結される支柱９，９間の間隔Mよりも大きいため（図５）、タワー１から球形タンク３７が脱落することは決してない。
【００２３】
タワー１の中心には、各球形タンク３７，３７、・・に通しにして発電機３５への給水管３９が設けられ、球形タンク３７，３７、・・の内部の下端で給水管３９が開閉可能となっており、発電不足となる危険な時にバルブが自働的に開いて発電量が補充される。
【００２４】
タワー１の下には人工の小川４１が流れており、そこに、発電機３５を駆動するスクリュー型の水車３４が設けられる。水車３４は、小川の水により回転されるが、球形タンク３７，３７、・・からの水も上記のごとく使用される。球形タンク３７，３７、・・は、ボール型の球形であるが、上端には半球状の雨受け３７ａが、下端には半球状の機械カバー３７ｂが設けられる。
【００２５】
タワー１は、民家４３（または工場）に隣接して立設され、屋根に降る降雨や積雪に由来する水も利用される。これについては、屋根より低い位置にある２個の球形タンク３７，３７に屋根からの水が導入されるようになっている。また、民家４３の床下は貯水槽４５となっており、余裕のある時に蓄電池に蓄えられ電力でタワー１の球形タンク３７，３７、・・に揚水し、水不足の事態に備えられる。
【符号の説明】
【００２６】
１  タワー
９  支柱
１３  通風塔
１７  風車
２１  伝達軸
３３  ソーラーパネル
３４  水車
３５  発電機
３７  球形タンク
３９  給水管
４１  小川
【図１】
0006006489.tif 000002
【図２】
0006006489.tif 000003
【図３】
0006006489.tif 000004
【図４】
0006006489.tif 000005
【図５】
0006006489.tif 000006
【図６】
0006006489.tif 000007